【手続補正書】
【提出日】平成25年7月24日(2013.7.24)
【手続補正１】
【補正対象書類名】特許請求の範囲
【補正対象項目名】全文
【補正方法】変更
【補正の内容】
【特許請求の範囲】
【請求項１】
血液を収容するための採血管として蓋のある同じ種類の採血管を複数保持しており、採血管の種類を特定する容器種別識別子を含むバーコードを有するラックを搬送する搬送部と、
前記搬送されたラックのバーコードから容器種別識別子を読み出すバーコードリーダと、
前記搬送部により所定位置に搬送された採血管の蓋を貫いて血液を吸引するために鋭利な先端を有する金属製の吸引管、および前記吸引管を採血管に挿入する方向へ移動させることが可能な移動部を含む吸引部と、
前記バーコードリーダによって読み出された容器種別識別子に基づいて、前記吸引部の動作を制御する制御部と、
前記吸引された血液を含む測定試料を分析する分析部と、を備え、
前記制御部は、前記読み出された容器種別識別子に基づいて採血管の種類を特定し、特定された採血管の種類に応じて前記吸引管が採血管の蓋を貫いて挿入される挿入位置を決定し、前記ラックに保持され、且つ、前記所定位置に搬送された蓋のある同じ種類の各採血管に対して、前記挿入位置まで前記吸引管を挿入するように前記移動部を制御するように構成されている、血液分析装置。
【請求項２】
前記採血管は検体を確認するためのバーコードを有しており、前記バーコードリーダは、前記ラックのバーコードの読取りと、前記採血管のバーコードの読取りを行うように構成されている、請求項１に記載の血液分析装置。
【請求項３】
前記容器種別識別子と採血管の種類との対応関係を設定するための設定画面を表示する表示部をさらに備える、請求項１または２に記載の血液分析装置。
【請求項４】
前記移動部は、前記吸引管を上下方向に移動させるように構成されており、
前記制御部は、前記ラックに保持され、且つ、前記搬送部により前記所定位置に搬送された蓋のある同じ種類の各採血管に対して、前記挿入位置まで前記吸引管を下降させるように前記移動部を制御する、請求項１〜３の何れか１項に記載の血液分析装置。
【請求項５】
前記バーコードリーダは、前記ラックのバーコードの読み取りを行った後、採血管のバーコードを読取るように構成されている、請求項２に記載の血液分析装置。
【請求項６】
血液を収容するための採血管を複数保持可能で、採血管の種類を特定する容器種別識別子を含むバーコードを有するラックと、
蓋のある同じ種類の採血管を複数保持した前記ラックを搬送する搬送部と、
前記搬送されたラックのバーコードから容器種別識別子を読み出すバーコードリーダと、
前記搬送部により所定位置に搬送された採血管の蓋を貫いて血液を吸引するために鋭利な先端を有する金属製の吸引管、および前記吸引管を採血管に挿入する方向へ移動させることが可能な移動部を含む吸引部と、
前記バーコードリーダによって読み出された容器種別識別子に基づいて、前記吸引部の動作を制御する制御部と、
前記吸引された血液を含む測定試料を分析する分析部と、を備え、
前記制御部は、前記読み出された容器種別識別子に基づいて採血管の種類を特定し、特定された採血管の種類に応じて前記吸引管が採血管の蓋を貫いて挿入される挿入位置を決定し、前記ラックに保持され、且つ、前記所定位置に搬送された蓋のある同じ種類の各採血管に対して、前記挿入位置まで前記吸引管を挿入するように前記移動部を制御するように構成されている、血液分析システム。
【請求項７】
前記前記採血管は検体を確認するためのバーコードを有しており、前記バーコードリーダは、前記ラックのバーコードの読取りと、前記採血管のバーコードの読取りを行うように構成されている、請求項６に記載の血液分析システム。
【請求項８】
前記移動部は、前記吸引管を上下方向に移動させるように構成されており、
前記制御部は、前記ラックに保持され、且つ、前記搬送部により前記所定位置に搬送された蓋のある同じ種類の各採血管に対して、前記挿入位置まで前記吸引管を下降させるように前記移動部を制御する、請求項６または７に記載の血液分析システム。
【請求項９】
前記容器種別識別子と採血管の種類との対応関係を設定するための設定画面を表示する表示部をさらに備える、６〜８の何れか１項に記載の血液分析システム。
【手続補正２】
【補正対象書類名】明細書
【補正対象項目名】００１２
【補正方法】変更
【補正の内容】
【００１２】
この発明の第１の局面による血液分析装置は、血液を収容するための採血管として蓋のある同じ種類の採血管を複数保持しており、採血管の種類を特定する容器種別識別子を含むバーコードを有するラックを搬送する搬送部と、前記搬送されたラックのバーコードから容器種別識別子を読み出すバーコードリーダと、前記搬送部により所定位置に搬送された採血管の蓋を貫いて血液を吸引するために鋭利な先端を有する金属製の吸引管、および前記吸引管を採血管に挿入する方向へ移動させることが可能な移動部を含む吸引部と、前記バーコードリーダによって読み出された容器種別識別子に基づいて、前記吸引部の動作を制御する制御部と、前記吸引された血液を含む測定試料を分析する分析部と、を備え、前記制御部は、前記読み出された容器種別識別子に基づいて採血管の種類を特定し、特定された採血管の種類に応じて前記吸引管が採血管の蓋を貫いて挿入される挿入位置を決定し、前記ラックに保持され、且つ、前記所定位置に搬送された蓋のある同じ種類の各採血管に対して、前記挿入位置まで前記吸引管を挿入するように前記移動部を制御するように構成されている。
【手続補正３】
【補正対象書類名】明細書
【補正対象項目名】００１３
【補正方法】変更
【補正の内容】
【００１３】
この第１の局面による検体分析装置では、上記のように、採血管の種類を特定する容器種別識別子を含むバーコードを有するラックを搬送する搬送部と、搬送されたラックのバーコードから容器種別識別子を読み出すバーコードリーダとを設けることによって、ラックのバーコードから採血管の種類を特定する容器種別識別子を得ることができる。このラックのバーコードから得た容器種別識別子により、そのラックに保持される採血管の種類を特定することができるので、採血管のバーコードを張り替えるなどの作業を行う必要がない。このため、検査効率が低下するのを抑制することができる。また、ラックのバーコードの容器種別識別子をバーコードリーダにより読み出すだけで採血管の種類を特定することができるので、各々の採血管の形状自体（高さなど）をセンサや複雑な制御などにより特定する必要がない。このため、装置が複雑化するのを抑制することができる。また、吸引部は、採血管の蓋を貫いて血液を吸引するために鋭利な先端を有する金属製の吸引管を採血管に挿入する方向へ移動させる移動部をさらに備え、制御部は、読み出された容器種別識別子に基づいて採血管の種類を特定し、特定された採血管の種類に応じて吸引管が採血管の蓋を貫いて挿入される挿入位置を決定し、ラックに保持され、且つ、所定位置に搬送されたそれぞれの採血管に対して、決定した挿入位置まで吸引管を容器に挿入するように移動部を制御するように構成されている。そのため、ラックに保持される各採血管に対応する挿入位置に吸引管を挿入することができる。
【手続補正４】
【補正対象書類名】明細書
【補正対象項目名】００１４
【補正方法】変更
【補正の内容】
【００１４】
上記読み出された容器種別識別子に基づいて、移動部が吸引管を移動させる構成において、好ましくは、移動部は、吸引管を上下方向に移動させるように構成されており、制御部は、前記ラックに保持され、且つ、前記搬送部により前記所定位置に搬送された蓋のある同じ種類の各採血管に対して、挿入位置まで吸引管を下降させるように移動部を制御するように構成されている。
【手続補正５】
【補正対象書類名】明細書
【補正対象項目名】００１９
【補正方法】変更
【補正の内容】
【００１９】
搬送機構部２は、検出機構部５に血液検体を供給するために、血液検体を収容した複数（本実施形態では、１０本）の採血管２００が載置されたラック２０１を吸引位置Ｐ（図３参照）に搬送する機能を有している。また、搬送機構部２は、未処理の血液検体を収容した採血管２００が収納されたラック２０１をセットするためのラックセット領域２ａと、検体の吸引動作が行われる検体吸引領域２ｂと、処理済みの血液検体を収容した採血管２００が収納されたラック２０１を収容するラック収容領域２ｃとを有している。ラックセット領域２ａおよびラック収容領域２ｃは、それぞれ、５つのラック２０１を収容可能である。また、図４および図５に示すように、ラックセット領域２ａには、ラックセット領域２ａにセットされたラック２０１を検体吸引領域２ｂに搬送するためのスライド可能な一対のフック部材２ｄが矢印Ａ方向にスライドするための溝２ｅが設けられている。この一対のフック部材２ｄに押圧されることにより、ラックセット領域２ａにセットされたラック２０１は、矢印Ａ方向に搬送されるように構成されている。また、検体吸引領域２ｂには、一対のフック部材２ｆが格納される一対の溝２ｇと、検体吸引領域２ｂにおいてラック２０１の移動をガイドするガイド部２ｈとが設けられている。一対のフック部材２ｆは、ラック２０１の底面に設けられた複数の凹部（図示せず）に係合することにより矢印Ｂ方向にラック２０１を採血管１本分ずつ搬送する機能を有する。また、ラック収容領域２ｃには、矢印Ｃ方向にスライド可能な押出部材２ｉが設けられている。この押出部材２ｉにより、検体吸引領域２ｂからラック収容領域２ｃに搬送されてきたラック２０１は、矢印Ｃ方向に押し出されるように構成されている。これにより、次のラック２０１が詰まることがないように構成されている。
【手続補正６】
【補正対象書類名】明細書
【補正対象項目名】００６５
【補正方法】変更
【補正の内容】
【００６５】
次に、ステップＳ２２において、上記ステップＳ１７において検出された液面の位置から所定量（下降量）下げた位置でピペット３３が停止される。この下降量（図１６参照）は、採血管２００の種類に応じて決定される量であり、１回の吸引で吸引される検体の量に対応している。そして、ステップＳ２３において、ピペット３３により検体が吸引される。下降量分だけを液面の位置から下げて検体を吸引することにより、ピペット３３の外面に付着する検体の量を最小限にすることが可能である。本実施形態では、このようにして検体の吸引が行われる。